(57)【要約】      （修正有）【課題】出入国手続等において、迅速にパスポートを取り出すことが可能であると共に、パスポート以外の収納物が他人に視認されることを防止しうる携帯用収納具を提供する。【解決手段】開閉可能に形成され、小冊子状の収納物を収納しうる携帯用収納具であって、内部に収納部１１を有する一対の板状本体部１２，１３と、上記一対の板状本体部の間に形成されたヒンジ部１４と、ヒンジ部１４により開閉可能に形成された上記板状本体部に設けられた閉止手段１５とを有し、上記板状本体部の外側面部には収納部１１に連通し、上記板状本体部を閉止した状態で収納物を取り出しうる開口部１８が形成された構成とする。【選択図】図１
0003146156.tif 000002
【実用新案登録請求の範囲】
【請求項１】
開閉可能に形成され、小冊子状の収納物を収納しうる携帯用収納具であって、
内部に収納部を有する一対の板状本体部と、上記一対の板状本体部の間に形成されたヒンジ部と、上記ヒンジ部により開閉可能に形成された上記板状本体部に設けられた閉止手段とを有し、
上記板状本体部の外側面部には、上記収納部に連通し、上記板状本体部を閉止した状態で収納物を取り出しうる開口部が形成されていることを特徴とする携帯用収納具。
【請求項２】
上記一対の板状本体部は平面長方形状に形成され、上記閉止手段は上記板状本体部の周縁部に取り付けられたファスナーからなり、上記開口部は板状本体部の外表面部に形成されたスリットからなることを特徴とする請求項１記載の携帯用収納具。
【請求項３】
上記収納物はパスポートであって、上記収納部は上記パスポートを収納しうる大きさのポケットであって、上記ポケットはファスナーにより開閉可能に形成され、
上記開口部は上記パスポートの上端部を外方から把持しうる部位に形成されていることを特徴とする請求項１記載の携帯用収納具。
【請求項４】
上記開口部は平面逆Ｕ字状のスリットにより形成されていることを特徴とする請求項１〜３いずれか１項記載の携帯用収納具。
【請求項５】
上記開口部には、上記開口部を閉止しうる閉止部材が設けられていることを特徴とする請求項１〜４のいずれか１項記載の携帯用収納具。
【請求項６】
上記閉止部材は、面ファスナーであることを特徴とする請求項５記載の携帯用収納具。
【請求項７】
上記閉止部材は、スライドファスナーであることを特徴とする請求項５記載の携帯用収納具。
【請求項８】
上記開口部が設けられている板状本体部の外表面部には、上記開口部と長さ方向に並列して、幅方向に沿って開口する外側ポケット部が設けられていることを特徴とする請求項１記載の携帯用収納具。
【考案の詳細な説明】
【技術分野】
【０００１】
本考案は、パスポート等の小冊子状の収納物を収納する携帯用収納具に関する。
【背景技術】
【０００２】
パスポート等の小冊子状の収納物を収納するためのポケット部を内部に有する携帯用収納具は従来から提案されている（特許文献１）
【０００３】
図５に示すように、上記特許文献１にかかる携帯用収納具７０は、平面長方形状に形成された一対の板状本体部７２、７３とからなり、上記一対の板状本体部７２、７３の間のヒンジ部７４によって開閉可能に形成されている。
上記板状本体部７２の内側面部には、パスポート等の小冊子状の収納物７５の表紙部分を収納しうる袋状収納部７１が配設されると共に、上記板状本体部７３の内側面部には、クレジットカード類等を収納しうるポケット部７６，７７が設けられている。
入出国手続においては、パスポートを係官に提示する必要があるが、係官のパスポート照合作業を容易にするために、上記携帯用収納具７０からパスポートを抜き取り、パスポートのみを提出することが要請されている。
しかしながら、パスポートを上記袋状収納部７１から取り出す場合は、取り出し作業が煩雑であるのみでなく、その後の収納作業も煩雑であり、さらに取り出し作業の際に、収納されているクレジットカード類が他人に視認される虞があると共に、誤って落下して紛失する虞があるという別途の不具合をも有していた。
【０００４】
【特許文献１】実用新案登録第２５４０９８８号
【考案の開示】
【考案が解決しようとする課題】
【０００５】
本考案の課題は、上記の不具合を解決し、出入国手続等において、迅速にパスポートを取り出すことが可能であると共に、パスポート以外の収納物が他人に視認されることを防止しうる携帯用収納具を提供することにある。
【課題を解決するための手段】
【０００６】
上記課題を解決するために、請求項１記載の携帯用収納具にあっては、開閉可能に形成され、小冊子状の収納物を収納しうる携帯用収納具であって、内部に収納部を有する一対の板状本体部と、上記一対の板状本体部の間に形成されたヒンジ部と、上記ヒンジ部により開閉可能に形成された上記板状本体部に設けられた閉止手段とを有し、上記板状本体部の外側面部には上記収納部に連通し、上記板状本体部を閉止した状態で収納物を取り出しうる開口部が形成されていることを特徴とする。
【０００７】
従って、上記板状本体部を閉止した状態であっても、上記収納部に収納された小冊子状の収納物を、上記開口部を介して容易に取り出すことが可能となる。
【０００８】
また、請求項２記載の携帯用収納具にあっては、上記一対の板状本体部は平面長方形状に形成され、上記閉止手段は上記板状本体部の周縁部に取り付けられたファスナーからなり、上記開口部は板状本体部の外表面部に形成されたスリットからなることを特徴とする。
【０００９】
従って、上記ファスナーを閉止した状態のままで、上記開口部を介して、上記収納部に収納された小冊子状の収納物を容易に取り出すことが可能となる。
【００１０】
また、請求項３記載の携帯用収納具にあっては、上記収納物はパスポートであって、上記収納部は上記パスポートを収納しうる大きさのポケットであって、上記ポケットはファスナーにより開閉可能に形成されると共に、上記開口部は上記パスポートの上端部を外方から把持しうる部位に形成されていることを特徴とする。
【００１１】
従って、上記開口部から指等によって上記収納部に収納されたパスポートの上端部を把持し、上記開口部を介して引き抜くことによって、容易にパスポートを取り出すことが可能となる。
【００１２】
また、請求項４記載の携帯用収納具にあっては、上記開口部は平面逆Ｕ字状のスリットにより形成されていることを特徴とする。
【００１３】
従って、上記開口部を拡開し易く、収納部に収納したパスポート等の小冊子状の収納物を把持し易くなる。
【００１４】
また、請求項５記載の携帯用収納具にあっては、上記開口部には、上記開口部を閉止しうる閉止部材が設けられていることを特徴とする。
また、請求項６記載の携帯用収納具にあっては、上記閉止部材は、面ファスナーであることを特徴とする。
また、請求項７記載の携帯用収納具にあっては、上記閉止部材は、スライドファスナーであることを特徴とする。
【００１５】
従って、持ち運びの際に、上記開口部からパスポート等の小冊子状の収納物が誤って落下することがない。
【００１６】
また、請求項８記載の携帯用収納具にあっては、上記開口部が設けられている板状本体部の外表面部には、上記開口部と長さ方向に並列して、幅方向に沿って開口する外側ポケット部が設けられていることを特徴とする。
【００１７】
従って、上記外側ポケット部に航空券を収納することよって、出入国手続の際に、パスポートと航空券の両方を迅速に取り出し、係官に提示することが可能となる。
【考案の効果】
【００１８】
請求項１〜３記載の携帯用収納具にあっては、上記収納部に収納されたパスポート等の小冊子状の収納物を、上記板状本体部を閉止した状態のまま、取り出すことができることから、出入国手続等において、迅速にパスポートを取り出して係官に提示することが可能であると共に、パスポート以外の収納物を他人に視認される事態を防止しうる携帯用収納具を提供することができる。
特に請求項２記載の携帯用収納具にあっては、上記板状本体部の周縁部のファスナーを閉止した状態のままであっても、スリットである上記開口部を介して、上記収納部に収納されたパスポート等の小冊子状の収納物を容易に取り出すことが可能となるため、請求項１の効果に加え、内部の他の収納物がより視認され難くなる。
更に請求項３記載の携帯用収納具にあっては、上記収納物はパスポートであって、上記収納部は上記パスポートを収納しうる大きさのポケットであって、上記ポケットはファスナーにより開閉可能に形成されると共に、上記開口部は上記パスポートの上端部を外方から把持しうる部位に形成されていることから、請求項１の効果に加え、上記収納部内に収納されたパスポートを把持し易く、上記開口部から、より迅速に取り出すことができる。
【００１９】
また、請求項４記載の携帯用収納具にあっては、上記開口部は平面逆Ｕ字状のスリットにより形成されていることを特徴とする。
従って、請求項１の考案の効果に加え、上記開口部を把持して外方に引くことによって上記開口部が拡開するため、上記収納部内のパスポート等の小冊子状の収納物をより取り出し易くなる。
【００２０】
また、請求項５〜７記載の携帯用収納具にあっては、上記開口部には、上記開口部を閉止しうる、面ファスナー若しくはスライドファスナーからなる閉止部材が設けられていることから、請求項１の効果に加え、上記開口部から、パスポート等の小冊子状の収納物が誤って落下し、紛失する事態を防止することができる。
【００２１】
また、請求項８記載の携帯用収納具にあっては、上記開口部が設けられている板状本体部の外表面部には、上記開口部と長さ方向に並列して、幅方向に沿って開口する外側ポケット部が設けられていることから、上記外側ポケット部に航空券を収納することで、入出国手続においては、航空券とパスポートの両方を迅速に取り出して提示することが可能となり、請求項１の効果に加え、入出国手続がよりスムーズになる。
【考案を実施するための最良の形態】
【００２２】
以下、上記開口部の閉止部材が面ファスナーで形成され、収納物がパスポートである場合を例に、本考案の実施の形態について図面を用いて説明する。
図１に示すように、本考案に係る携帯用収納具１０は、内部にポケット状の収納部１１を有し、平面長方形状に形成された一対の板状本体部１２、１３と、上記一対の板状本体部１２、１３の間に形成されたヒンジ部１４と、上記ヒンジ部１４により開閉可能に形成された上記板状本体部１２、１３に設けられたファスナーからなる閉止手段１５とを有し、図２に示すように、一方の板状本体部１２の外側面部１６には、上記収納部１１に連通し、上記板状本体部１２、１３を閉止した状態で、上記パスポート１７を取り出しうる、平面逆Ｕ字状に形成されたスリットである開口部１８が設けられている。
また、図１に示すように、上記収納部１１は上記パスポート１７を収納しうる大きさに形成され、ファスナー１９により開閉可能に形成されると共に、図２に示すように、上記開口部１８は上記パスポート１７の上端部２０を外方から把持しうる部位２１に形成されている。
また、上記開口部１８は、面ファスナーからなる閉止部材２２によって閉止可能に形成されている。
また、図３に示すように、上記開口部１８が設けられている板状本体部１２の外表面部１６には、上記開口部１８と長さ方向に並列して、幅方向に沿って開口する外側ポケット部２３が設けられている。
【実施例１】
【００２３】
上記形態における実施例の構成について以下図面を用いて詳述する。
図１は、本実施例に係る携帯用収納具１０の板状本体部１２、１３をヒンジ部１４を介して見開き状態とした場合の内側平面図である。
図１に示すように、上記板状本体部１２及び１３は柔軟な布材で形成され、上記板状本体部１２の内側面部には、メッシュ状の布材で形成されたポケットからなる収納部１１が設けられている。
上記収納部１１は上記板状本体部１２と略同一の幅方向寸法を有すると共に、
長さ寸法は、上記板状本体部１２の長さ寸法よりも短寸法に形成され、パスポート１７を内部に収納しうる大きさに形成されている。
また、上記収納部１１は、ヒンジ部１４側の幅方向端部に長さ方向に沿って開口する開口部２４を有し、上記開口部２４には、ファスナー１９が設けられ、スライダー２５によって開閉可能に形成されている。
また、上記板状本体部１３の内側面部には、クレジットカード等のカード類を収納しうる複数のカード収納部２６と、ヒンジ部１４側の幅方向端部に長さ方向に沿って開口し、ファスナー２７によって開閉可能なポケット部２８が設けられている。
上記板状本体部１２、１３の周縁部には、上記板状本体部１２、１３をヒンジ部１４折り重ねた際に、上記携帯用収納具１０を閉止し、スライダー２９によって開閉可能なファスナー１５が設けられている。
図２は、上記携帯用収納具１０の板状本体部１２、１３をファスナー１５によって閉止した状態の上記板状本体部１２の外側面部１６の上部拡大斜視図である。
図２に示すように、上記開口部１８の平面逆Ｕ字状のスリットは、上辺部３０は上記板状部材１２の幅方向寸法よりもやや短寸法に形成され、側辺部３１ａ、３１ｂは上記上辺部３０の略半分の長さ寸法に形成され、上記スリットによる切り込みによって、舌片部３２が形成されている。
また、上記板状本体部１２の長さ方向略中央部には、幅方向に沿って開口する外側ポケット部２３が形成されている。
上記板状本体部１２において、上記舌片部３２の上端部内側と当接する部位には、上記開口部１８を閉止しうる面ファスナーからなる閉止部材２２が設けられている。
【００２４】
上記構成における実施例の作用について詳述する。
パスポートを収納する場合は、図１に示すように、上記ファスナー１５をスライダー２９によって開放して上記板状本体部１２、１３を見開き状態とし、上記収納部１１の開口部２４のファスナー１９をスライダー２５によって開放し、上記開口部２４からパスポートを挿入して収納する。
また、図３に示すように上記板状本体部１２の外側ポケット部２３には、航空券３３を挿入しておく。
図２に示すように、出入国手続時において、パスポート１７を取り出す必要がある場合は、上記舌片部３２を矢印Ａの方向に向かって外方に引くことで、上記開口部１８を拡開し、上記開口部１８から指等を差し入れてパスポート１７の上端部２０を把持した上で、図４に示すように、矢印Ｂの方向に引き出すことで、上記ファスナー１５を閉止し、上記収納部１１を開かない状態のままでパスポート１７を取り出すことができる。
従って、出入国手続等において、迅速にパスポート１７を取り出して係官に提示することが可能であると共に、パスポート１７以外に収納物がある場合であっても、他人に視認されて個人情報が漏洩する虞がなく、また誤って他の収納物が落下して紛失してしまう虞もない。
また、パスポート１７と併せて航空券３３を提示する必要が生じた場合であっても、図３に示すように、上記外側ポケット部２３に航空券３３を挿入しておくことで、パスポート１７と共に迅速に提示することが可能である。
上記のように、本実施例の構成によれば、出入国手続がスムーズに行えるのみならず、個人情報の漏洩や紛失といった事態を防止しうる安全性をも確保することが可能な携帯用収納具を提供することが可能である。
【実施例２】
【００２５】
なお、実施例１においては、上記図２に示すように、上記開口部１８の閉止部材２２を面ファスナーによって構成したが、スライドファスナーで構成することによっても、実施例１と同様の効果を得ることが可能である。
また、図３に示すように、上記開口部１８のスリットは逆Ｕ字形状に形成されているが、上記開口部１８のスリットの形状を逆Ｌ字状等した場合であっても、実施例１と同様の効果を得ることが可能である。
また、上記実施例では、図３に示すように、上記開口部１８が上記板状本体部１２の上端部であって、収納されたパスポートの上端部を把持しうる部位２１に形成されている場合を例に説明したが、例えば上記板状本体部１２の長さ方向端部に沿って設けられ、パスポートの側端部を把持して出し入れしうるように構成されてもよく、上記実施例に限定されない。
【産業上の利用可能性】
【００２６】
本考案は、パスポート等の小冊子状の収納物を収納する携帯用収納具に適用が可能である。
【図面の簡単な説明】
【００２７】
【図１】本考案に係る携帯用収納具の一実施の形態を示し、実施例１の形態おいて、板状本体部を見開き状態とした場合の内側平面図ある。
【図２】本考案に係る携帯用収納具の一実施の形態を示し、実施例１の形態において、板状本体部をファスナーによって閉止した状態の上部拡大斜視図である。
【図３】本考案に係る携帯用収納具の一実施の形態を示し、実施例１の形態おいて、外側ポケット部に航空券を挿入した状態の平面図である。
【図４】本考案に係る携帯用収納具の一実施の形態を示し、実施例１の形態おいて、開口部よりパスポートを取り出した状態の平面図である。
【図５】従来の携帯用収納具の斜視図である。
【符号の説明】
【００２８】
１０  携帯用収納具
１１  収納部
１２  板状本体部
１３  板状本体部
１４  ヒンジ部
１５  閉止手段（ファスナー）
１６  外側面部
１７  パスポート（等の小冊子状の収納物）
１８  開口部
１９  ファスナー
２０  パスポートの上端部
２１  開口部の部位  
２２  閉止部材
２３  外側ポケット部
２４  開口部
２５  スライダー
２６  カード収納部
２７  ファスナー
２８  ポケット部
２９  スライダー
３０  開口部の上辺部
３１ａ開口部の側辺部
３１ｂ開口部の側辺部
３２  舌片部
３３  航空券
７０  携帯用収納具
７１  袋状収納部
７２  板状本体部
７３  板状本体部
７４  ヒンジ部
７５  パスポート等の小冊子状の収納物
７６  ポケット部
７７  ポケット部
Ａ  舌片部の引き出し方向
Ｂ  パスポートの取り出し方向
【図１】
0003146156.tif 000003
【図２】
0003146156.tif 000004
【図３】
0003146156.tif 000005
【図４】
0003146156.tif 000006
【図５】
0003146156.tif 000007